(57)【要約】【課題】  カメラから複数の映像のファイルをダウンロードして再生をする場合に、再生開始タイミングを早めることができる映像システムを提供することにある。【解決手段】  サーバ２００は、映像の取得対象の開始時刻と取得時間あるいは終了時刻と有する指定時間情報を含む取得指示を基に、開始時刻の映像を含む映像ファイルの取得要求と、当該映像ファイルに続く取得時間分あるいは終了時刻迄の単数又は複数の映像ファイルの取得要求を、取得要求対象の映像ファイル毎に順にカメラ１００に送信し、カメラ１００から映像ファイルを受信すると、映像ファイルの再生を、受信予定の映像ファイル全体を受信する前に開始する。【選択図】図１
2019054505.tif 000002
【特許請求の範囲】
【請求項１】
撮像した映像を複数のファイルからなるファイル形式で記憶するカメラと、
カメラからの前記記憶した映像を受信するサーバと
を有し、
前記サーバは、前記映像の取得対象の開始時刻と取得時間あるいは終了時刻と有する指定時間情報を含む取得指示を基に、前記開始時刻の映像を含む映像ファイルの取得要求と、当該映像ファイルに続く前記取得時間分あるいは前記終了時刻迄の単数又は複数の映像ファイルの取得要求を、取得要求対象の映像ファイル毎に順に前記カメラに送信し、
前記カメラは、前記サーバから前記取得要求を受信すると、当該取得要求に係る前記映像ファイルを前記サーバに送信し、
前記サーバは、前記カメラから前記映像ファイルを受信すると、当該映像ファイルの再生を、受信予定の前記映像ファイル全体を受信する前に開始する
映像システム。
【請求項２】
前記映像ファイルは、予め決められた記憶単位時間の映像データを含み、
前記サーバは、
前記開始時刻の映像を含む映像ファイルの取得要求に続く、直前に送信する前記取得要求に含めた時刻に前記記憶単位時間を加算した時刻を前記取得要求に含め、
前記カメラは、
前記サーバから受信した前記取得要求に含まれる時刻の映像を含む映像ファイルを記憶部から読み出し、当該読み出した映像ファイルを前記サーバに送信する
請求項１に記載の映像システム。
【請求項３】
撮像した映像を複数のファイルからなるファイル形式で記憶するカメラと、
カメラからの前記記憶した映像を受信するサーバと
を有し、
前記サーバは、前記映像の取得対象の開始時刻と取得時間あるいは終了時刻とを有する指定時間情報を含む取得指示を基に、前記指定時間情報を含む映像ファイルの取得要求を前記カメラに送信し、
前記カメラは、前記サーバから前記取得要求を受信すると、当該取得要求に含まれる前記指定時間情報を基に、前記複数の映像ファイルを記憶部から読み出して、順に前記サーバに送信し、
前記サーバは、前記カメラから前記映像ファイルを受信すると、当該映像ファイルの再生を、受信予定の映像ファイル全体を受信する前に開始する
映像システム。
【請求項４】
前記カメラは、
前記サーバから前記取得要求を受信すると、
当該取得要求で示される取得対象の開始時刻の映像を含み、且つ前記取得時間分の前記開始時刻の前後の映像を含む最小数の前記映像ファイルを特定し、当該特定した映像ファイルを前記サーバに送信する
請求項３に記載の映像システム。
【請求項５】
撮像した映像を複数のファイルからなるファイル形式で記憶するカメラと、カメラから前記記憶した映像を受信するサーバとを用いて行う映像管理方法であって、
前記映像の取得対象の開始時刻と取得時間あるいは終了時刻と有する指定時間情報を含む取得指示を基に、前記開始時刻の映像を含む映像ファイルの取得要求と、当該映像ファイルに続く前記取得時間分あるいは前記終了時刻迄の単数又は複数の映像ファイルの取得要求を、取得要求対象の映像ファイル毎に順に前記サーバから前記カメラに送信する第１の工程と、
前記カメラが、前記サーバから前記取得要求を受信すると、当該取得要求に係る前記映像ファイルを前記サーバに送信する第２の工程と、
前記サーバが、前記カメラから前記映像ファイルを受信すると、当該映像ファイルの再生を、次に受信予定の前記映像ファイル全体を受信する前に開始する第３の工程と
を有する映像管理方法。
【請求項６】
撮像した映像を複数のファイルからなるファイル形式で記憶するカメラと、カメラから前記記憶した映像を受信するサーバとを用いて行う映像管理方法であって、
前記映像の取得対象の開始時刻と取得時間あるいは終了時刻とを有する指定時間情報を含む取得指示を基に、前記指定時間情報を含む映像ファイルの取得要求を前記サーバから前記カメラに送信する第１の工程と、
前記カメラが、前記サーバから前記取得要求を受信すると、当該取得要求に含まれる前記指定時間情報を基に、前記複数の映像ファイルを記憶部から読み出して、順に前記サーバに送信する第２の工程と、
前記サーバが、前記カメラから前記映像ファイルを受信すると、当該映像ファイルの再生を、次に受信予定の映像ファイル全体を受信する前に開始する第３の工程と
を有する映像管理方法。
【発明の詳細な説明】
【技術分野】
【０００１】
本発明は、映像監視方法およびサーバならびに映像監視システムに関するものである。
【背景技術】
【０００２】
監視場所を管理する管理者が所有する管理者端末が、監視場所に設置されたカメラから送信される動画を表示することで、監視場所を監視するシステムが知られている。
【０００３】
このようなシステムでは、カメラは、例えば、撮像した映像を複数のファイルからなるファイル形式で記憶部に記憶する。
そして、サーバは、撮像開始時間を含む所定の時間の映像に対応した複数のファイルの取得要求をカメラに順に送信する。
このとき、サーバは、上記複数のファイルの全てをカメラから受信した後に、当該複数のファイルの再生を開始する。
【先行技術文献】
【特許文献】
【０００４】
【特許文献１】特開２００６−１１５４３５号公報
【発明の概要】
【発明が解決しようとする課題】
【０００５】
しかしながら、上述した従来のシステムでは、上記複数のファイルの全てをカメラから受信した後に、当該複数のファイルの再生を開始する。
そのため、最初のファイルの再生が開始されるまでに長時間を要してしまう場合があるという問題がある。
【０００６】
本発明はかかる事情に鑑みてなされたものであり、その目的は、カメラから複数の映像のファイルをダウンロードして再生をする場合に、再生開始タイミングを早めることができる映像システム及びその方法を提供することにある。
【課題を解決するための手段】
【０００７】
上述した従来技術の問題を解決し、上述した目的を達成するために、本発明の映像システムは、撮像した映像を複数のファイルからなるファイル形式で記憶するカメラと、カメラからの前記記憶した映像を受信するサーバとを有し、前記サーバは、前記映像の取得対象の開始時刻と取得時間あるいは終了時刻と有する指定時間情報を含む取得指示を基に、前記開始時刻の映像を含む映像ファイルの取得要求と、当該映像ファイルに続く前記取得時間分あるいは前記終了時刻迄の単数又は複数の映像ファイルの取得要求を、取得要求対象の映像ファイル毎に順に前記カメラに送信し、前記カメラは、前記サーバから前記取得要求を受信すると、当該取得要求に係る前記映像ファイルを前記サーバに送信し、前記サーバは、前記カメラから前記映像ファイルを受信すると、当該映像ファイルの再生を、受信予定の前記映像ファイル全体を受信する前に開始する。
【０００８】
好適には、前記映像ファイルは、予め決められた記憶単位時間の映像データを含み、前記サーバは、前記開始時刻の映像を含む映像ファイルの取得要求に続く、直前に送信する前記取得要求に含めた時刻に前記記憶単位時間を加算した時刻を前記取得要求に含め、前記カメラは、前記サーバから受信した前記取得要求に含まれる時刻の映像を含む映像ファイルを記憶部から読み出し、当該読み出した映像ファイルを前記サーバに送信する。
【０００９】
また、本発明の映像システムは、撮像した映像を複数のファイルからなるファイル形式で記憶するカメラと、カメラからの前記記憶した映像を受信するサーバとを有し、前記サーバは、前記映像の取得対象の開始時刻と取得時間あるいは終了時刻とを有する指定時間情報を含む取得指示を基に、前記指定時間情報を含む映像ファイルの取得要求を前記カメラに送信し、前記カメラは、前記サーバから前記取得要求を受信すると、当該取得要求に含まれる前記指定時間情報を基に、前記複数の映像ファイルを記憶部から読み出して、順に前記サーバに送信し、前記サーバは、前記カメラから前記映像ファイルを受信すると、当該映像ファイルの再生を、受信予定の映像ファイル全体を受信する前に開始する。
【００１０】
好適に、前記カメラは、前記サーバから前記取得要求を受信すると、当該取得要求で示される取得対象の開始時刻の映像を含み、且つ前記取得時間分の前記開始時刻の前後の映像を含む最小数の前記映像ファイルを特定し、当該特定した映像ファイルを前記サーバに送信する。
【００１１】
本発明の映像管理方法は、撮像した映像を複数のファイルからなるファイル形式で記憶するカメラと、カメラから前記記憶した映像を受信するサーバとを用いて行う映像管理方法であって、前記映像の取得対象の開始時刻と取得時間あるいは終了時刻と有する指定時間情報を含む取得指示を基に、前記開始時刻の映像を含む映像ファイルの取得要求と、当該映像ファイルに続く前記取得時間分あるいは前記終了時刻迄の単数又は複数の映像ファイルの取得要求を、取得要求対象の映像ファイル毎に順に前記サーバから前記カメラに送信する第１の工程と、前記カメラが、前記サーバから前記取得要求を受信すると、当該取得要求に係る前記映像ファイルを前記サーバに送信する第２の工程と、前記サーバが、前記カメラから前記映像ファイルを受信すると、当該映像ファイルの再生を、次に受信予定の前記映像ファイル全体を受信する前に開始する第３の工程とを有する。
【００１２】
また、本発明の映像管理方法は、撮像した映像を複数のファイルからなるファイル形式で記憶するカメラと、カメラから前記記憶した映像を受信するサーバとを用いて行う映像管理方法であって、前記映像の取得対象の開始時刻と取得時間あるいは終了時刻とを有する指定時間情報を含む取得指示を基に、前記指定時間情報を含む映像ファイルの取得要求を前記サーバから前記カメラに送信する第１の工程と、前記カメラが、前記サーバから前記取得要求を受信すると、当該取得要求に含まれる前記指定時間情報を基に、前記複数の映像ファイルを記憶部から読み出して、順に前記サーバに送信する第２の工程と、前記サーバが、前記カメラから前記映像ファイルを受信すると、当該映像ファイルの再生を、次に受信予定の映像ファイル全体を受信する前に開始する第３の工程とを有する。
【発明の効果】
【００１３】
本発明によれば、カメラから複数の映像のファイルをダウンロードして再生をする場合に、再生開始タイミングを早めることができる映像システム及びその方法を提供することができる。
【図面の簡単な説明】
【００１４】
【図１】図１は、本発明の第１の実施形態に係る映像監視システムの構成図である。
【図２】図２は、図１に示す映像システムの動作例を説明するためのフローチャートである。
【発明を実施するための形態】
【００１５】
［全体構成］
以下、本発明の実施形態について説明する。
図１は、本発明の実施形態に係る映像システム１０の一例を示す図である。
図１に示す映像システム１０は、カメラ１００と、カメラ１００とネットワークを介して接続されるサーバ２００と、サーバ２００とネットワークを介して接続される管理者端末３００とを有する。
【００１６】
カメラ１００は、動画を撮像する機能を有する。カメラ１００は、監視領域を撮像するように配置されている。カメラ１００は、単数あるいは複数である。
図１に示すように、カメラ１００は、処理部１１０と、メモリ１２０と、動画記録部１３０とを有する。
【００１７】
カメラ１００の処理部１１０は、撮像した映像（動画）を複数の映像ファイルからなる映像ファイル形式でメモリ１２０に記憶する。
サーバ２００等は、受信した当該映像ファイルを所定のアルゴリズムで変換等して再生する。これにより、映像管理のセキュリティを高めることができる。
【００１８】
サーバ２００は、通信部２１０と、サムネイル画像生成部２２０と、サーバ２００の各部を制御するのに必要なデータの入出力などを実行する処理部２３０とを有する。
【００１９】
サーバ２００の通信部２１０は、カメラ１００や管理者端末３００から送信された動画や各種情報を受信する。
【００２０】
管理者端末（例えば、スマートフォンや、携帯電話や、タブレット端末など）３００は、通信部３１０と、操作部３２０と、処理部３３０と、表示部３４０とを有する
【００２１】
以下。図１に示す映像システム１０の動作例を説明する。
図２は、図１に示す映像システム１０の動作例を説明するためのフローチャートである。
以下、各ステップについて説明する。
【００２２】
ステップＳＴ１：
カメラ１００は、撮像した映像をメモリ１２０に映像ファイル形式で記憶する。当該映像ファイルは、例えば、一定時間（記憶単位時間）の映像データを含み、本実施形態で１分の映像データを含む。
【００２３】
ステップＳＴ２：
ユーザが管理者端末３００を操作して、映像の取得対象の開始時刻と取得時間あるいは終了時刻と有する指定時間情報を含む取得指示を入力する。当該入力を検出すると、ステップＳＴ３に進む。
【００２４】
ステップＳＴ３：
サーバ２００は、ステップＳＴ２で入力した指定時間情報に含まれる映像の取得対象の開始時刻（取得開始時刻）を基に、最初に取得指示対象とする映像ファイルを特定する。
【００２５】
サーバ２００は、当該特定した最初の映像ファイルから、終了時刻の映像を含む映像ファイルまで、取得要求に順次にカメラ１００に送信する。
そして、サーバ２００は、以下に示すように、単数又は複数回の取得要求をカメラ１００に送信する。本実施形態では、３回の取得要求を順に送信する場合を説明する。
【００２６】
ステップＳＴ４（１）：
サーバ２００は、ステップＳＴ２で入力された取得指示を基に、開始時刻の映像を含む最初の映像ファイルの第１の取得要求をカメラ１００に送信する。
【００２７】
ステップＳＴ５（１）：
カメラ１００は、ステップＳＴ４（１）で受信した第１の取得要求を基に、当該取得要求で示される開始時刻を含む第１の映像ファイルをメモリ１２０から読み出し、サーバ２００に送信する。
【００２８】
ステップＳＴ６（１）：
サーバ２００の処理部２３０は、ステップＳＴ５（１）でカメラ１００から受信した第１の映像ファイルを変換して再生可能な状態とし、管理者端末３００の操作あるいは第１の映像ファイル再生完了後、その画像を表示部３４０に画面表示する。
【００２９】
ステップＳＴ７（１）：
サーバ２００の処理部２３０は、ステップＳＴ２の取得指示に含まれる情報から特定される終了時刻の映像を含む映像ファイルをステップＳＴ５（１）で受信したかを判定し、肯定判定の場合は処理を終了し、そうでない場合はステップＳＴ４（２）に戻る。当該終了時刻は、取得指示に終了時刻が含まれている場合は、それを使う。また、終了時刻が含まれていない場合には、開始時刻に取得時間を足した時刻を終了時刻とする。
なお、処理の終了は、取得指示に含まれる終了時刻の映像を含む映像ファイルを受信したかの判定以外に、予め受信する映像ファイルの数を特定し、その数を受信したかどうかで判定する等、その他の方法でもよい。
【００３０】
ステップＳＴ４（２）：
サーバ２００の処理部２３０は、第２の取得要求をカメラ１００に送信する。
当該第２の取得要求には、第１の取得要求に含めた開始時刻に、上記一定時間を加えた時刻を含める。
【００３１】
ステップＳＴ５（２）：
カメラ１００は、ステップＳＴ４（２）で受信した第２の取得要求を基に、当該取得要求で示される時刻を含む第２の映像ファイルをメモリ１２０から読み出し、サーバ２００に送信する。当該第２の映像ファイルには、第１の映像ファイルに含まれる映像に時間的に続く映像が含まれている。
【００３２】
ステップＳＴ６（２）：
サーバ２００の処理部２３０は、ステップＳＴ５（２）でカメラ１００から受信した第２の映像ファイルを変換して再生可能な状態とし、管理者端末３００の操作あるいは第２の映像ファイル再生完了後、その画像を表示部３４０に画面表示する。
【００３３】
ステップＳＴ７（２）：
サーバ２００の処理部２３０は、終了時刻の映像を含む映像ファイルをステップＳＴ５（２）で受信したかを判定し、肯定判定の場合は処理を終了し、そうでない場合はステップＳＴ４（３）に戻る。
【００３４】
ステップＳＴ４（３）：
サーバ２００の処理部２３０は、第３の取得要求をカメラ１００に送信する。
当該第３の取得要求には、第２の取得要求に含めた時刻に、上記一定時間を加えた時刻を含める。
【００３５】
ステップＳＴ５（３）：
カメラ１００は、ステップＳＴ４（３）で受信した第３の取得要求を基に、当該取得要求で示される時刻を含む第３の映像ファイルをメモリ１２０から読み出し、サーバ２００に送信する。当該第３の映像ファイルには、第２の映像ファイルに含まれる映像に時間的に続く映像が含まれている。
【００３６】
ステップＳＴ６（３）：
サーバ２００の処理部２３０は、ステップＳＴ５（３）でカメラ１００から受信した第３の映像ファイルを変換して再生可能な状態とし、管理者端末３００の操作あるいは第３の映像ファイル再生完了後、その画像を表示部３４０に画面表示する。
【００３７】
ステップＳＴ７（３）：
サーバ２００の処理部２３０は、取得指示に含まれる終了時刻の映像を含む映像ファイルをステップＳＴ５（３）で受信したかを判定し、肯定判定の場合は処理を終了し、そうでない場合はステップＳＴ４（３）に戻る。
本実施形態では、  ステップＳＴ７（３）で肯定判定となり処理を終了する。
【００３８】
以上説明したように、映像システム１０によれば、サーバ２００がカメラ１００から映像ファイルを受信すると、当該映像ファイルの再生を、受信予定の映像ファイル全体を受信する前に開始する。
そのため、映像システム１０によれば、受信予定の全ての映像ファイルの受信した後に、当該複数のファイルの再生を開始する従来のシステムに比べて、再生開始タイミングを早めることができ、応答性の高い再生を実現できる。
【００３９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。例えば、上記した実施形態は、必ずしも説明した全ての構成を備えるものに限定されるものではない。また、ある実施形態の構成の一部を他の実施形態の構成に置き換えることが可能である。また、ある実施形態の構成に他の実施形態の構成を加えることも可能である。
【００４０】
例えば、上述した実施形態では、図２のステップＳＴ３で説明したように、サーバ２００は、当該開始時刻の映像を含む映像ファイル（最初）を特定し、取得対象の取得時間から特定される終了時刻、あるいは直接指定された終了時刻の映像を含む映像ファイル（最後）を特定する場合を例示したが、以下のように取得対象の映像ファイルを特定してもよい。
【００４１】
すなわち、サーバ２００は、取得指示で指定された時刻の前後の所定の時間の映像を含む映像ファイルを特定してもよい。具体的には、サーバ２００は、取得指示で指定された時刻から第１の所定時間前の開始時刻を特定し、当該開始時刻の映像を含む映像ファイル（最初）を特定する。また、サーバ２００は、取得指示で指定された時刻から第２の所定時間後の終了時刻を特定し、当該終了時刻の映像を含む映像ファイル（最初）を特定する。
そして、サーバ２００は、当該特定した最初の映像ファイルから、当該特定した最後の映像ファイルまでの映像ファイルが取得対象として決定され、その個数が特定される。サーバ２００は、当該特定した個数回分の取得要求をカメラ１００に送信する。
【００４２】
また、上述した実施形態では、取得指示に含まれる開始時刻の映像を含む映像ファイルを最初にカメラ１００からサーバ２００に送信する場合を例示したが、開始時刻から予め決められた時間前の時刻の映像を含む映像ファイルを最初に送信するようにしてもよい。
【産業上の利用可能性】
【００４３】
本発明は、カメラで撮像した動画等をダウンロードして再生する映像システムに適用可能である。
【符号の説明】
【００４４】
１０…映像監視システム
１００…カメラ
１１０…処理部
１２０…メモリ
２００…サーバ
２１０…通信部
２２０…サムネイル画像生成部
２３０…処理部
３００…管理者端末
３１０…通信部
３２０…操作部
３３０…処理部
３４０…表示部
【図１】
2019054505.tif 000003
【図２】
2019054505.tif 000004